(57)【特許請求の範囲】
【請求項１】
移送中の育苗容器２の縦横の各ポット３に床土６を供給し、次ぎに、ポット３に嵌合する鎮圧突起９によりポット３内の床土６を鎮圧し、次ぎに表面がコーティングされた種子１１を供給し、次ぎに割り突起２５により種子１１を該種子１１の表面のコーティングに割れが生じるように床土６に押し込むように構成すると共に、前記床土６の鎮圧と前記割り突起２５による種子１１の押し込みとは、前記床土６の鎮圧が、割り突起２５によって種子１１を床土６に押し込める堅さになるようにした播種方法。
【請求項２】
請求項１において、前記割り突起２５による種子１１の押し込みは、種子１１を平面的に押して種子１１の表面のコーティングに割れが生じるようにした播種方法。
【請求項３】
縦横にポット３を有する育苗容器２を始端部より終端に向けて移送する移送台１の上方位置に、各ポット３内に供給した床土６を鎮圧する鎮圧装置８と、各ポット３内に表面がコーティングされた種子１１を供給する種子供給装置５とを設けたものにおいて、前記鎮圧装置８の鎮圧突起９の先端面形状はポット３内の中央が低く凹むように球面形状に形成し、前記種子供給装置５の前記育苗容器２の移送方向前側にはポット３内の種子１１を床土６内に押し込む割り突起２５を並設した突起ローラ２６を有するコーティング割り装置２４を設け、前記割り突起２５は、円柱形状で、かつ、その先端面を、種子１１を平面的に押せる円弧平面形状に形成して構成した播種装置。
【請求項４】
請求項３において、前記コーティング割り装置２４には、前記各割り突起２５の先端面に摺接するスクレーパ３０を設けた播種装置。
【発明の詳細な説明】
【０００１】
【産業上の利用分野】
本発明は、表面がコーティングされた玉葱等の種子の播種装置に係るものである。
【０００２】
【従来技術】
従来公報番号は不知であるが、移送中の育苗容器の縦横の各ポットに床土を供給し、次ぎに、ポットに嵌合する鎮圧突起によりポット内の床土を鎮圧し、次ぎに表面がコーティングされた種子を供給する方法は公知である。
【０００３】
【発明が解決しようとする課題】
玉葱等の種子は、その外形形状が、整っていないため、一旦表面をコーティングし、この状態の種子を種子供給装置により播種していた。
しかし、コーティングは、本来播種作業を機械化するためのものであるから、通常であれば発芽して使用し得る種子であっても、コーティングされていることにより発芽せず、その分欠株になるから、折角播種精度を向上させても、全体の精度は低下することになる。
本発明は、簡単な方法でコーティングを割るようにしたものである。即ち、もともと種子のコーティングは、種子供給装置により播種を円滑にするために、種子の外形形状を整えるものであるから、それ程強固ではないが、手で触れて崩れるほど弱いものでもないので、単に上から押したのでは、割れないものもあるので、割り方を特に工夫し、簡単にし、しかも、成育を良好にしたものである。
【０００４】
【発明の目的】
発芽率の向上、欠株の減少、コーティングの割りの確実化、成育の良好化。
【０００５】
【課題を解決するための手段】
本発明は、移送中の育苗容器２の縦横の各ポット３に床土６を供給し、次ぎに、ポット３に嵌合する鎮圧突起９によりポット３内の床土６を鎮圧し、次ぎに表面がコーティングされた種子１１を供給し、次ぎに割り突起２５により種子１１を該種子１１の表面のコーティングに割れが生じるように床土６に押し込むように構成すると共に、前記床土６の鎮圧と前記割り突起２５による種子１１の押し込みとは、前記床土６の鎮圧が、割り突起２５によって種子１１を床土６に押し込める堅さになるようにした播種方法としたものである。
本発明は、前記割り突起２５による種子１１の押し込みは、種子１１を平面的に押して種子１１の表面のコーティングに割れが生じるようにした播種方法としたものである。
本発明は、縦横にポット３を有する育苗容器２を始端部より終端に向けて移送する移送台１の上方位置に、各ポット３内に供給した床土６を鎮圧する鎮圧装置８と、各ポット３内に表面がコーティングされた種子１１を供給する種子供給装置５とを設けたものにおいて、前記鎮圧装置８の鎮圧突起９の先端面形状はポット３内の中央が低く凹むように球面形状に形成し、前記種子供給装置５の前記育苗容器２の移送方向前側にはポット３内の種子１１を床土６内に押し込む割り突起２５を並設した突起ローラ２６を有するコーティング割り装置２４を設け、前記割り突起２５は、円柱形状で、かつ、その先端面を、種子１１を平面的に押せる円弧平面形状に形成して構成した播種装置としたものである。
本発明は、前記コーティング割り装置２４には、前記各割り突起２５の先端面に摺接するスクレーパ３０を設けた播種装置としたものである。
【０００６】
【実施例】
本発明の方法を実施しうる装置の実施例を図により説明すると、１は播種装置の移送台１であり、育苗容器２を移送する。育苗容器２はセルトレイあるいはポットシートと呼ばれ前後左右に多数のポット３を並設して形成する。前記移送台１には育苗容器２を移送する移送手段４を設ける。移送手段４の構成は任意であるが、後述する種子供給装置５の種子繰出とポット３の移動とが同期するようにする。
【０００７】
前記移送台１には図示は省略するが上方より床土６を供給する床土供給装置を設け、床土供給装置の前側には鎮圧装置８を設ける。鎮圧装置８は前記育苗容器２の各ポット３に嵌合する鎮圧突起９を移動方向のポット３に同期するように円周方向に並設すると共に、横方向に並設されたポット３に対応させて左右方向に並設した鎮圧突起ローラ１０により構成している。鎮圧突起９の先端面形状は、ポット３内の床土６の上面が凹部に形成し、種子１１が中央に位置するのを期待するため、球面形状に形成している。
【０００８】
鎮圧装置８の前側には種子１１を供給する前記種子供給装置５を設ける。種子１１は玉葱の種子等の表面をコーティング（被覆）して球形状にしたものである。種子供給装置５は上方にホッパー１３を設け、ホッパー１３の下方に横軸繰出ロール１４を設ける。横軸繰出ロール１４の外周面には、種子１１が嵌合する繰出凹部１６を形成する。繰出凹部１６は一粒の種子１１が嵌合する大きさに形成し、育苗容器２のポット３に合わせて円周方向および母線方向にも並設し、円周方向の各繰出凹部１６の中央にはスリット１７を形成する。スリット１７は円周方向に形成し、スリット１７には繰出凹部１６に嵌合して落下しない種子を掻き出す掻出体１８を設ける。掻出体１８は前記スリット１７より幅狭に形成し、各スリット１７に嵌合させる。
【０００９】
前記横軸繰出ロール１４の直上位置より回転下降側の上方位置には、繰出凹部１６に嵌合しない種子を戻す回転均平ブラシ２０を設ける。回転均平ブラシ２０は横軸繰出ロール１４との接触面において反対の駆動回転させる。回転均平ブラシ２０より回転下降側の横軸繰出ロール１４の側面には種子誘導体２１を設ける。種子誘導体２１は図示省略するがウレンタン等の表面に合成樹脂のシートを重合させ、該シート部材を横軸繰出ロール１４の外周面に当接させ、横軸繰出ロール１４は回転均平ブラシ２０に摺接しながら回転させる。
【００１０】
しかして、横軸繰出ロール１４の前側にはコーティング割り装置２４を設ける。コーティング割り装置２４は前記育苗容器２の各ポット３に嵌合する割り突起２５を移動方向のポット３に同期するように円周方向に並設すると共に、横方向に並設されたポット３に対応させて左右方向に並設して構成した突起ローラ２６を取付板２７に軸装し、左右の取付板２７をフレーム２８に高さ調節自在にしている。
【００１１】
前記割り突起２５は、各割り突起２５の先端を結ぶ仮想の円柱形状の外周面と略同じ円弧になるように、その先端面を形成し、回転する割り突起２５と前進するポット３とにより可及的に平面的に種子１１を押すようにしている。したがって、上方から種子１１を押圧したとき、種子１１は前後左右に逃げずに中心位置より下方に押し込まれ、このとき、表面のコーティングに割れが生じ、好適である。
【００１２】
この場合、鎮圧装置８による床土６の鎮圧は、割り突起２５により種子１１を押したとき、種子１１が潜り込める堅さで、かつ、可能な限り堅くする。即ち、種々の要素があるが、そのうち割り突起２５により種子１１を押込んだときの抵抗によりコーティングが割れるように相対的に想定する。
したがって、床土６が軟らかい性状のときは、割り突起２５は押圧深さを深く、床土６が硬い性状のときは、割り突起２５は押圧深さを浅くすると、好適である。
【００１３】
また、前記フレーム２８には各割り突起２５の先端面に摺接するスクレーパ３０を設ける。
鎮圧突起ローラ１０および突起ローラ２６はその回転軸３１を上下自在にフレーム（取付板２７）側に取付け、バネ３２により下方に弾着するようにし、ポット３内に異物があったとき、上方に退避するようにしている。
しかして、種子１１供給後のポット３に覆土を供給して播種が終了するが、灌水等の作業は省略している。
【００１４】
【作用】
次に作用を述べる。
移送台１に育苗容器２を供給し、供給された育苗容器２は鎮圧装置８の下方に至り鎮圧装置８の鎮圧突起９により育苗容器２の各ポット３内の床土は鎮圧される。
この場合、鎮圧突起９の先端は円弧状に形成しているから、床土上面は中央が凹んだ状態に鎮圧される。
【００１５】
次ぎに、育苗容器２は種子供給装置５の１４の下方に至り、育苗容器２の各ポット３に一粒ずつの種子１１の供給を受け、コーティング割り装置２４の下方に至る。コーティング割り装置２４は育苗容器２の各ポット３に嵌合する割り突起割り突起２５を移動方向のポット３に同期するように円周方向に並設すると共に、横方向に並設されたポット３に対応させて左右方向に並設して構成した突起ローラ２６を取付板２７に軸装し、左右の取付板２７をフレーム２８に高さ調節自在にして構成しているから、各割り突起２５がポット３内に嵌合し、ポット３の移動により種子１１を下方に押し込む。
【００１６】
この場合、各割り突起２５の先端を結ぶ仮想の円柱形状の外周面と略同じ円弧になるように、その先端面を形成しているから、回転する割り突起２５と前進するポット３とにより可及的に平面的に種子１１を押す。したがって、割り突起２５は種子を前後左右に逃がすことなく中心位置より下方に押し込み、このときに、種子１１の表面のコーティングに割れが生じる。
【００１７】
即ち、床土６は鎮圧装置８によって鎮圧されているから、割り突起２５により種子１１を押したとき、種子１１はすぐに押し込まれるのではなく、そこに抵抗が発生するので、この抵抗により種子１１のコーティングは割れる。もともと種子１１のコーティングは、種子供給装置５により播種を円滑にするために、種子１１の外形形状を整えるものであるから、それ程強固ではないが、手で触れて崩れるほど弱いものでもないので、押し込むときの抵抗を利用して割るものである。
【００１８】
したがって、鎮圧装置８によりポット３に供給された床土６を予め一定の堅さにしておくと、押し込むときの抵抗が均一化できて、コーティングの割れを確実にする。それゆえ、種子１１を押し込める堅さで、かつ、可能な限り堅く（種子１１に傷を付けない程度）すると、好適である。
【００１９】
また、割り突起２５は高さ位置調節自在であるから、床土６が軟らかい性状のときは、割り突起２５は押圧深さを深くすることにより接触抵抗を大きくしてコーティングを割るのを良好にし、床土６が硬い性状のときは、割り突起２５は押圧深さを浅くすると、種子１１を傷つけず好適である。
以上のように、種子１１は割り突起２５によりポット３の中央に押し込まれ、ポット３の中央に位置させながら、しかも、播種された種子１１の表面のコーティングは割れているから、水の浸透が良好になり、発芽率を向上させる（前記したように、この場合のコーティングは播種精度を向上させる目的で、施こされているものであるから、事前に割れていれば、それだけ、種子１１が自身によってコーティングを割るエネルギーを温存でき、発芽率は向上する）。
【００２０】
しかして、フレーム２８には各割り突起２５の先端面に摺接するスクレーパスクレーパ３０を設けているから、割り突起２５は常時スクレーパ３０に摺接するので、泥土およびコーティングの付着を防止して種子１１の押込を確実にして、コーティングを確実に割る。
本発明の要件ではないが、種子供給装置種子供給装置５の作用も説明する。モーターに通電すると、横軸繰出ロール１４と回転均平ブラシ２０が回転し、種子１１は横軸繰出ロール１４の外周面付近に溜り、横軸繰出ロール１４の外周面に当接した種子１１は、回転均平ブラシ２０に至る間横軸繰出ロール１４と共回りして繰出凹部１６に嵌合し、余った繰出凹部１６に嵌合していない種子は回転均平ブラシ２０により掃き戻され、回転均平ブラシ２０の下方を通過した種子は種子誘導体２１により下方まで案内されて落下し、育苗容器２内に播種される。
【００２１】
【効果】
本発明は、移送中の育苗容器２の縦横の各ポット３に床土６を供給し、次ぎに、ポット３に嵌合する鎮圧突起９によりポット３内の床土６を鎮圧し、次ぎに表面がコーティングされた種子１１を供給し、次ぎに割り突起２５により種子１１を該種子１１の表面のコーティングに割れが生じるように床土６に押し込むように構成すると共に、前記床土６の鎮圧と前記割り突起２５による種子１１の押し込みとは、前記床土６の鎮圧が、割り突起２５によって種子１１を床土６に押し込める堅さになるようにした播種方法としたものであるから、種子１１を床土６に押し込むときにポット３の中心に押し込みながらコーティングを割ることができ、発芽率を向上させ、欠株発生を減少させることができる。
本発明は、前記割り突起２５による種子１１の押し込みは、種子１１を平面的に押して種子１１の表面のコーティングに割れが生じるようにした播種方法としたものであるから、確実にコーティングを割ることができる。
本発明は、縦横にポット３を有する育苗容器２を始端部より終端に向けて移送する移送台１の上方位置に、各ポット３内に供給した床土６を鎮圧する鎮圧装置８と、各ポット３内に表面がコーティングされた種子１１を供給する種子供給装置５とを設けたものにおいて、前記鎮圧装置８の鎮圧突起９の先端面形状はポット３内の中央が低く凹むように球面形状に形成し、前記種子供給装置５の前記育苗容器２の移送方向前側にはポット３内の種子１１を床土６内に押し込む割り突起２５を並設した突起ローラ２６を有するコーティング割り装置２４を設け、前記割り突起２５は、円柱形状で、かつ、その先端面を、種子１１を平面的に押せる円弧平面形状に形成して構成した播種装置としたものであるから、種子１１を床土６に押し込むときにコーティングを割ることができ、発芽率を向上させ、欠株発生を減少させることができる。
本発明は、前記コーティング割り装置２４には、前記各割り突起２５の先端面に摺接するスクレーパ３０を設けた播種装置としたものであるから、泥土およびコーティングの付着を防止して種子１１の押込を確実にして、コーティングを確実に割ることができる。
【図面の簡単な説明】
【図１】  側面図。
【図２】  鎮圧装置の側面図。
【図３】  コーティング割り装置の側面図。
【図４】  種子供給装置の側面図。
【図５】  鎮圧状態側面図。
【図６】  コーティング割り状態側面図。
【図７】  覆土供給状態側面図。
【符号の説明】
１…移送台、２…育苗容器、３…ポット、４…移送手段、５…種子供給装置、６…床土、８…鎮圧装置、９…鎮圧突起、１０…鎮圧突起ローラ、１１…種子、１３…ホッパー、１４…横軸繰出ロール、１６…繰出凹部、１７…スリット、１８…掻出体、２０…回転均平ブラシ、２１…種子誘導体、２４…コーティング割り装置、２５…割り突起、２６…突起ローラ、２７…取付板、２８…フレーム、３０…スクレーパ、３１…回転軸、３２…バネ。
【図１】
0004213804.tif 000002
【図２】
0004213804.tif 000003
【図３】
0004213804.tif 000004
【図４】
0004213804.tif 000005
【図５】
0004213804.tif 000006
【図６】
0004213804.tif 000007
【図７】
0004213804.tif 000008